(57)【要約】【課題】例えば、作用した外力等によって導電部材がより変形しにくい新規な構成の電池および導電部材を得る。【解決手段】実施形態の電池は、例えば、筐体と、電極体と、導電部材と、を備える。筐体には、収容部と、収容部の外側に露出した外部接続端子と、が設けられる。電極体は、収容部に収容される。導電部材は、収容部に収容され、外部接続端子と接続された板状のベース部と、ベース部から当該ベース部と交差する方向に延び電極体の正極または負極と接続された板状のアーム部と、アーム部のベース部に対する変形を抑制する変形抑制部と、を有する。【選択図】図１
2018077962.tif 000002
【特許請求の範囲】
【請求項１】
収容部と、前記収容部の外側に露出した外部接続端子と、が設けられた筐体と、
前記収容部に収容された電極体と、
前記収容部に収容され、前記外部接続端子と接続された板状のベース部と、前記ベース部から当該ベース部と交差する方向に延び前記電極体の正極または負極と接続された板状のアーム部と、前記アーム部の前記ベース部に対する変形を抑制する変形抑制部と、を有した導電部材と、
を備えた、電池。
【請求項２】
前記筐体は、前記収容部の周りを囲む周壁部を有し、
前記変形抑制部は、前記アーム部の前記周壁部から離れる方向への変形を抑制する、請求項１に記載の電池。
【請求項３】
前記変形抑制部は、前記アーム部および前記ベース部のうち一方に設けられ、前記アーム部が変形した場合に他方と当接する当接部を含む、請求項１または２に記載の電池。
【請求項４】
前記変形抑制部は、前記アーム部の根元部分に設けられた補強部を含む、請求項１または２に記載の電池。
【請求項５】
前記アーム部は、
第一のアーム部と、
前記第一のアーム部と前記電極体の厚さ方向に離間して位置された第二のアーム部と、
を有し、
前記補強部は、前記第一のアーム部と前記第二のアーム部との間に渡って設けられた、請求項４に記載の電池。
【請求項６】
前記アーム部は、
第一のアーム部と、
前記第一のアーム部と前記電極体の厚さ方向に離間して位置された第二のアーム部と、
を有し、
前記変形抑制部は、前記ベース部との間に隙間をあけた状態で前記第一のアーム部と前記第二のアーム部との間に渡って設けられたブリッジ部を含む、請求項１または２に記載の電池。
【請求項７】
請求項１〜６のうちいずれか一つに記載の電池に用いられ、前記変形抑制部を有した導電部材。
【発明の詳細な説明】
【技術分野】
【０００１】
本発明の実施形態は、電池および導電部材に関する。
【背景技術】
【０００２】
従来、筐体と、筐体内に収容された電極体と、筐体の外部接続端子と接続された板状のベース部およびベース部と交差する方向に延び電極体の正極または負極と接続された板状のアーム部を有した導電部材と、を備えた電池が、知られている。
【先行技術文献】
【特許文献】
【０００３】
【特許文献１】特開２０１１−４９０６５号公報
【発明の概要】
【発明が解決しようとする課題】
【０００４】
この種の電池では、例えば、作用した外力等によって導電部材がより変形しにくい新規な構成が得られれば、好ましい。
【課題を解決するための手段】
【０００５】
実施形態の電池は、例えば、筐体と、電極体と、導電部材と、を備える。筐体には、収容部と、収容部の外側に露出した外部接続端子と、が設けられる。電極体は、収容部に収容される。導電部材は、収容部に収容され、外部接続端子と接続された板状のベース部と、ベース部から当該ベース部と交差する方向に延び電極体の正極または負極と接続された板状のアーム部と、アーム部のベース部に対する変形を抑制する変形抑制部と、を有する。
【図面の簡単な説明】
【０００６】
【図１】図１は、第１実施形態の電池の例示的かつ模式的な分解斜視図である。
【図２】図２は、第１実施形態の導電部材の例示的かつ模式的な斜視図である。
【図３】図３は、第２実施形態の導電部材の例示的かつ模式的な斜視図である。
【図４】図４は、第３実施形態の導電部材の例示的かつ模式的な斜視図である。
【図５】図５は、第４実施形態の導電部材の例示的かつ模式的な斜視図である。
【図６】図６は、第５実施形態の導電部材の例示的かつ模式的な斜視図である。
【図７】図７は、第６実施形態の導電部材の例示的かつ模式的な斜視図である。
【図８】図８は、第７実施形態の導電部材の例示的かつ模式的な斜視図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が定義されている。Ｘ方向は、電池１の厚さ方向に沿い、Ｙ方向は、電池１の幅方向に沿い、Ｚ方向は、電池１の高さ方向に沿う。Ｘ方向、Ｙ方向、およびＺ方向は、互いに直交している。
【０００９】
＜第１実施形態＞
図１に示されるように、電池１は、例えば、二次電池（蓄電池、充電式電池）として構成されており、筐体２と、電極体３と、導電部材４と、を備えている。電池１は、単電池や、電池セル、缶セル等とも称され、電極体３は、電極群や、蓄電部、コイル部、充放電部等とも称されうる。また、導電部材４は、リード部材や、接続部材、端子部材等とも称されうる。
【００１０】
電池１は、例えば、リチウムイオン二次電池等で構成されうる。なお、電池１は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００１１】
図１に示されるように、筐体２は、Ｘ方向に薄い扁平な直方体状に構成されている。筐体２は、例えば、複数の壁部２０ａ〜２０ｆを有する。壁部２０ａおよび壁部２０ｃは、いずれも、Ｘ方向と直交する方向（ＹＺ平面）に沿って延びており、Ｘ方向に間隔をあけて互いに平行に設けられている。また、壁部２０ｂおよび壁部２０ｄは、いずれも、Ｙ方向と直交する方向（ＸＺ平面）に沿って延びており、Ｙ方向に間隔をあけて互いに平行に設けられている。壁部２０ａ〜２０ｄは、周壁部の一例であり、側壁部等とも称されうる。
【００１２】
また、壁部２０ｅおよび壁部２０ｆは、いずれも、Ｚ方向と直交する方向（ＸＹ平面）に沿って延びており、Ｚ方向に間隔をあけて互いに平行に設けられている。壁部２０ｅは、底壁部や下壁部等と称され、壁部２０ｆは、天壁部や上壁部等と称されうる。
【００１３】
また、筐体２は、複数の部品（分割体）が組み合わせられて構成されている。具体的には、筐体２は、例えば、ケース２１と、蓋２２と、を有する。ケース２１は、少なくとも、壁部２０ａ〜２０ｅを有する。ケース２１には、壁部２０ａ〜２０ｅによって囲まれ、上方（Ｚ方向）に向けて開放された収容部２８が設けられている。収容部２８は、開口部や、凹部、室等とも称されうる。なお、壁部２０ａ〜２０ｅの内面２０ｉには、ケース２１と導電部材４とを絶縁する絶縁シート等の絶縁層が設けられうる。
【００１４】
また、蓋２２は、少なくとも、壁部２０ｆを有する。蓋２２は、収容部２８に電極体３および導電部材４が収容された状態で、ケース２１と一体化される。ケース２１と蓋２２とは、例えば、溶接等によって互いに結合され、結合された部分から液体や気体等が漏れるのが抑制されている。ケース２１は、第一筐体部材や、下ケース等とも称され、蓋２２は、第二筐体部材や、上ケース、カバー等とも称されうる。筐体２は、例えば、アルミニウム等の金属材料によって構成されている。
【００１５】
また、蓋２２には、外部接続端子としての正極端子２３および負極端子２４が露出している。正極端子２３および負極端子２４は、互いにＹ方向に間隔をあけて位置されている。正極端子２３は、壁部２０ｆを貫通した状態で設けられ、壁部２０ｆの内側で導電部材４の一方である正極リード４Ｒと結合される。また、負極端子２４は、壁部２０ｆを貫通した状態で設けられ、壁部２０ｆの内側で導電部材４の他方である負極リード４Ｌと結合される。
【００１６】
また、正極端子２３と壁部２０ｆとの間、および負極端子２４と壁部２０ｆとの間には、それぞれ、シール部材２３ａ，２４ａが設けられている。シール部材２３ａ，２４ａは、例えば、合成樹脂材料やガラス等の絶縁体で構成されている。シール部材２３ａ，２４ａは、正極端子２３と壁部２０ｆとの間、および負極端子２４と壁部２０ｆとの間をシールするとともに電気的に絶縁している。シール部材２３ａ，２４ａは、ガスケットや、介在物等とも称されうる。
【００１７】
また、蓋２２には、開口部２９が設けられている。開口部２９は、例えば、壁部２０ｆをＺ方向に貫通した貫通孔であり、収容部２８内に電解液を注液するための注液口として機能しうる。なお、蓋２２の正極端子２３と負極端子２４との間には、弁部が設けられうる。弁部は、筐体２内の圧力が閾値よりも高くなった場合に開放され、当該筐体２内の圧力を低下させる。
【００１８】
図１に示されるように、電極体３は、例えば、正極３１と、負極３２と、絶縁層３３（セパレータ）と、を有する。正極３１、負極３２、および絶縁層３３は、それぞれ、シート状に構成されている。そして、電極体３は、シート状の正極３１、負極３２、および絶縁層３３がＹ方向に沿った軸回りに巻回されて、あるいは折り畳まれて、扁平形状に構成されている。電極体３は、電極群であって発電要素として機能する。
【００１９】
また、正極３１および負極３２は、それぞれ、集電体や、集電体を覆う活物質層、集電体から突出した集電タブ等を有する。正極３１の集電タブは、電極体３のＹ方向の反対方向の端部に位置され、図１に示される正極バックアップリード３５と接続されている。また、負極３２の集電タブは、電極体３のＹ方向の端部に位置され、図１に示される負極バックアップリード３６と接続されている。正極バックアップリード３５および負極バックアップリード３６は、リード部材や、導電部材、接続部材、端子部材等とも称されうる。
【００２０】
導電部材４の一方である正極リード４Ｒは、正極バックアップリード３５を介して、正極３１と正極端子２３とを電気的に接続している。正極リード４Ｒと正極端子２３とは、例えば、カシメ等によって互いに結合され、正極リード４Ｒと正極バックアップリード３５とは、例えば、超音波溶接等によって互いに結合されている。
【００２１】
また、導電部材４の他方である負極リード４Ｌは、負極バックアップリード３６を介して、負極３２と負極端子２４とを電気的に接続している。負極リード４Ｌと負極端子２４とは、例えば、カシメ等によって互いに結合され、負極リード４Ｌと負極バックアップリード３６とは、例えば、超音波溶接等によって互いに結合されている。
【００２２】
導電部材４は、電極体３および蓋２２と一体化された状態で、ケース２１の収容部２８内に挿入される。そして、蓋２２が、収容部２８を塞いだ状態で、ケース２１の上方（Ｚ方向）の端部２０ｊと結合される。その後、電解液が、蓋２２の開口部２９を介して、筐体２内に所定量、例えば、電極体３が電解液によって十分に浸される量だけ注入される。そして、開口部２９が溶接等によって封止される。
【００２３】
図２に示されるように、導電部材４は、例えば、ベース部４ａと、アーム部４ｂと、変形抑制部４ｃと、を有している。導電部材４は、例えば、一枚の板状の部材が、二箇所（アーム部４ｂの根元部分）で屈曲されて構成されている。なお、導電部材４は、ベース部４ａとアーム部４ｂとが、例えば、溶接等によって互いに結合されて構成されてもよい。
【００２４】
図１に示されるように、ベース部４ａは、壁部２０ｆ（ＸＹ平面）に沿って延びた四角形状の板状に構成されている。ベース部４ａは、壁部２０ｆの内側（収容部２８側）で不図示の絶縁層を間に挟んだ状態で壁部２０ｆと重ねられる。また、ベース部４ａには、外部接続端子（正極端子２３または負極端子２４）がカシメ固定される貫通孔４ａ１が設けられている。
【００２５】
アーム部４ｂは、ベース部４ａから壁部２０ｅ（底壁部）側へ向けてベース部４ａと交差する方向に延びている。アーム部４ｂは、壁部２０ａ，２０ｃ（ＹＺ平面）に沿った四角形状の板状に構成されている。
【００２６】
また、アーム部４ｂは、第一のアーム部４ｂ１と、第二のアーム部４ｂ２と、を有する。第一のアーム部４ｂ１および第二のアーム部４ｂ２は、Ｘ方向、すなわち電極体３の厚さ方向に間隔をあけて互いに平行に設けられている。導電部材４は、第一のアーム部４ｂ１と第二のアーム部４ｂ２との間に電極体３の端部（集電タブ）を挟んだ状態で、電極体３の正極バックアップリード３５または負極バックアップリード３６と結合される。
【００２７】
図２に示されるように、変形抑制部４ｃは、第一のアーム部４ｂ１および第二のアーム部４ｂ２のそれぞれに設けられている。ここで、本実施形態では、変形抑制部４ｃは、当接部５を有している。当接部５は、第一のアーム部４ｂ１および第二のアーム部４ｂ２のそれぞれからベース部４ａとの間に僅かな隙間４ｇをあけた状態でＹ方向に沿って突出している。二つの当接部５は、互いにＸ方向に間隔をあけて位置され、それぞれがベース部４ａとＺ方向に並んでいる。当接部５は、ベース部４ａとアーム部４ｂとの間の角部４ｅと面している。角部４ｅは、Ｘ方向に沿って延びている。なお、本実施形態では、当接部５とアーム部４ｂとが一体で構成されているが、当接部５とアーム部４ｂとが別体で構成され、これら当接部５とアーム部４ｂとが、例えば、溶接等によって互いに結合されてもよい。
【００２８】
上述したように、本実施形態では、ベース部４ａが筐体２側の正極端子２３または負極端子２４（図１参照）と結合され、アーム部４ｂが電極体３側の正極バックアップリード３５または負極バックアップリード３６と結合される。このため、作用した外力等によって筐体２と電極体３とがＹ方向に沿って相対的に移動すると、アーム部４ｂがベース部４ａに対して角部４ｅを支点としてＹ方向に沿って変形、すなわち角部４ｅのＸ方向に沿った軸回りに回転（傾倒）してしまう虞がある。その点、本実施形態によれば、導電部材４に当接部５が設けられているため、例えば、アーム部４ｂが角部４ｅを支点としてＹ方向に沿って変形したとしても、当接部５とベース部４ａとの当接により、アーム部４ｂの更なる変形を抑制することができる。このように、本実施形態では、変形抑制部４ｃとしての当接部５によって、アーム部４ｂの壁部２０ｄ，２０ｂから離れる方向（Ｙ方向およびその反対方向）への変形を抑制している。
【００２９】
以上のように、本実施形態では、例えば、電池１は、収容部２８と、収容部２８の外側に露出した正極端子２３および負極端子２４（外部接続端子）と、が設けられた筐体２と、収容部２８に収容された電極体３と、収容部２８に収容され、正極端子２３または負極端子２４と接続された板状のベース部４ａと、ベース部４ａから当該ベース部４ａと交差する方向に延び電極体３の正極３１または負極３２と接続された板状のアーム部４ｂと、アーム部４ｂのベース部４ａに対する変形を抑制する変形抑制部４ｃと、を有した導電部材４と、を備える。よって、本実施形態によれば、例えば、導電部材４に設けられた変形抑制部４ｃによって、アーム部４ｂが作用した外力等によってより変形しにくくなりやすい。よって、例えば、導電部材４ひいては電池１に、アーム部４ｂの変形による影響が生じるのが抑制されやすい。
【００３０】
また、本実施形態では、例えば、筐体２は、収容部２８の周りを囲む壁部２０ａ〜２０ｄ（周壁部）を有し、変形抑制部４ｃは、アーム部４ｂの壁部２０ｄ，２０ｂから離れる方向（Ｙ方向およびその反対方向）への変形を抑制している。よって、本実施形態によれば、例えば、変形抑制部４ｃによって、アーム部４ｂの電極体３側への変形を抑制することができ、ひいてはアーム部４ｂの変形によって生じる電極体３への影響が抑制されやすい。
【００３１】
また、本実施形態では、例えば、変形抑制部４ｃは、アーム部４ｂ（一方）に設けられ、アーム部４ｂが変形した場合にベース部４ａ（他方）と当接する当接部５を含む。よって、本実施形態によれば、例えば、当接部５とベース部４ａとの当接によって、アーム部４ｂの更なる変形、すなわちアーム部４ｂが当接部５とベース部４ａとが当接した状態よりもベース部４ａ側へ変形するのを抑制できる。
【００３２】
また、本実施形態では、例えば、アーム部４ｂは、第一のアーム部４ｂ１と、第一のアーム部４ｂ１とＸ方向（電極体３の厚さ方向）に離間して位置された第二のアーム部４ｂ２と、を有し、当接部５は、第一のアーム部４ｂ１および第二のアーム部４ｂ２のそれぞれに設けられている。よって、本実施形態によれば、例えば、複数（二つ）の当接部５によって、より一層変形しにくい導電部材４が得られやすい。
【００３３】
＜第２実施形態＞
図３に示される本実施形態の電池１Ａは、上記第１実施形態の電池１と同様の構成を備えている。よって、本実施形態によっても、上記第１実施形態と同様の構成に基づく同様の結果（効果）が得られる。
【００３４】
ただし、本実施形態では、例えば、図３に示されるように、当接部５Ａが導電部材４Ａのベース部４ａに設けられている点が、上記第１実施形態と相違している。当接部５Ａは、ベース部４ａのＸ方向およびその反対方向の端部のそれぞれからアーム部４ｂとの間に僅かな隙間４ｇをあけた状態でＺ方向に沿って突出している。二つの当接部５Ａは、互いにＸ方向に間隔をあけて位置され、それぞれがアーム部４ｂとＹ方向に並んでいる。よって、本実施形態によっても、例えば、当接部５Ａによって、アーム部４ｂが角部４ｅを支点としてＹ方向に沿って変形したとしても、アーム部４ｂと当接部５Ａとの当接により、アーム部４ｂの更なる変形を抑制することができる。
【００３５】
＜第３実施形態＞
図４に示される本実施形態の電池１Ｂは、上記第１実施形態の電池１と同様の構成を備えている。よって、本実施形態によっても、上記第１実施形態と同様の構成に基づく同様の結果（効果）が得られる。
【００３６】
ただし、本実施形態では、例えば、図４に示されるように、導電部材４Ｂに変形抑制部４ｃとしての補強部６が設けられている点が、上記第１実施形態と相違している。補強部６は、ベース部４ａのＸ方向およびその反対方向の端部のそれぞれからＺ方向に沿って突出し、角部４ｅとベース部４ａのＹ方向の端部（先端部）との間に渡っている。角部４ｅは、アーム部４ｂの根元部分の一例である。このように、本実施形態では、補強部６によって、アーム部４ｂの根元部分が補強されている。よって、本実施形態によれば、例えば、補強部６によって、アーム部４ｂの根元部分の剛性や強度が高まりやすくなり、ひいては作用した外力等によってアーム部４ｂがより変形しにくくなりやすい。
【００３７】
＜第４実施形態＞
図５に示される本実施形態の電池１Ｃは、上記第３実施形態の電池１Ｂと同様の構成を備えている。よって、本実施形態によっても、上記第３実施形態と同様の構成に基づく同様の結果（効果）が得られる。
【００３８】
ただし、本実施形態では、例えば、図５に示されるように、導電部材４Ｃの補強部６Ａが境界部４ｆに設けられている点が、上記第３実施形態と相違している。境界部４ｆは、アーム部４ｂが一枚の板状の部材から屈曲されて構成された場合の屈曲部の内面であり、Ｙ方向に沿って延びている。なお、図５では、便宜上、境界部４ｆが直角に示されているが、実際にはベース部４ａの内面とアーム部４ｂの内面とを滑らかに繋ぐ曲面状に構成されうる。補強部６Ａは、第一のアーム部４ｂ１および第二のアーム部４ｂ２のそれぞれの境界部４ｆに設けられ、互いにＸ方向に間隔をあけて位置されている。補強部６Ａは、例えば、溶接や、接着剤等によって、境界部４ｆのアーム部４ｂとベース部４ａとに結合されうる。境界部４ｆは、アーム部４ｂの根元部分の一例である。よって、本実施形態によれば、例えば、補強部６Ａによって、アーム部４ｂの根元部分の剛性や強度が高まりやすくなり、ひいてはアーム部４ｂのＹ方向に沿った変形を抑制することができる。
【００３９】
また、アーム部４ｂは、作用した外力等によって筐体２（図１参照）と電極体３とがＸ方向に沿って相対的に移動すると、境界部４ｆを支点としてＸ方向に沿って変形、すなわち境界部４ｆのＹ方向に沿った軸回りに回転（傾倒）してしまう虞がある。その点、本実施形態によれば、アーム部４ｂの境界部４ｆに補強部６Ａが設けられているため、アーム部４ｂの境界部４ｆを支点としたＸ方向に沿った変形（傾倒、回転）も抑制することができる。さらに、補強部６Ａにより、アーム部４ｂの壁部２０ａ，２０ｃ（図１参照）から離れる方向（Ｘ方向およびその反対方向）、すなわち電極体３側への変形を抑制することができる。
【００４０】
＜第５実施形態＞
図６に示される本実施形態の電池１Ｄは、上記第４実施形態の電池１Ｃと同様の構成を備えている。よって、本実施形態によっても、上記第４実施形態と同様の構成に基づく同様の結果（効果）が得られる。
【００４１】
ただし、本実施形態では、例えば、図６に示されるように、導電部材４Ｄの補強部６Ｂが第一のアーム部４ｂ１と第二のアーム部４ｂ２との間に渡って設けられている点が、上記第４実施形態と相違している。補強部６Ｂは、ベース部４ａ（ＸＹ平面）に沿って延びた四角形状の板状に構成されている。補強部６Ｂは、例えば、溶接や、接着剤等によって、境界部４ｆのアーム部４ｂとベース部４ａとに結合されうる。よって、本実施形態によれば、例えば、第一のアーム部４ｂ１と第二のアーム部４ｂ２との間に渡った補強部６Ｂによって、アーム部４ｂの根元部分の剛性や強度がより一層高まりやすくなり、ひいてはアーム部４ｂがＹ方向およびＸ方向に沿ってより一層変形しにくくなりやすい。
【００４２】
＜第６実施形態＞
図７に示される本実施形態の電池１Ｅは、上記第５実施形態の電池１Ｄと同様の構成を備えている。よって、本実施形態によっても、上記第５実施形態と同様の構成に基づく同様の結果（効果）が得られる。
【００４３】
ただし、本実施形態では、例えば、図７に示されるように、導電部材４Ｅの補強部６Ｃに角部４ｅを補強する突出部６ａが設けられている点が、上記第５実施形態と相違している。突出部６ａは、補強部６ＣのＹ方向の端部からＸ方向およびその反対方向に突出し、第一のアーム部４ｂ１および第二のアーム部４ｂ２のそれぞれとＹ方向に重なっている。補強部６Ｃは、Ｚ方向の視線では、略Ｔ字状に構成されている。補強部６Ｃは、例えば、溶接や、接着剤等によって、角部４ｅおよび境界部４ｆ（図６参照）のアーム部４ｂとベース部４ａとに結合されうる。このように、本実施形態では、補強部６Ｃによって、アーム部４ｂの角部４ｅと境界部４ｆとが補強されている。よって、本実施形態によれば、例えば、補強部６Ｃによって、アーム部４ｂの角部４ｅを支点としたＹ方向に沿った変形（傾き、回転）、およびアーム部４ｂの境界部４ｆを支点としたＸ方向に沿った変形（傾き、回転）がより一層抑制されやすい。
【００４４】
＜第７実施形態＞
図８に示される本実施形態の電池１Ｆは、上記第１実施形態の電池１と同様の構成を備えている。よって、本実施形態によっても、上記第１実施形態と同様の構成に基づく同様の結果（効果）が得られる。
【００４５】
ただし、本実施形態では、例えば、図８に示されるように、導電部材４Ｆに変形抑制部４ｃとしてのブリッジ部７が設けられている点が、上記第１実施形態と相違している。ブリッジ部７は、ベース部４ａ（ＸＹ平面）に沿って延びた四角形状の板状に構成されている。ブリッジ部７は、ベース部４ａとの間に隙間４ｓをあけた状態で第一のアーム部４ｂ１と第二のアーム部４ｂ２との間に渡っている。ブリッジ部７は、例えば、溶接や、接着剤等によって、第一のアーム部４ｂ１と第二のアーム部４ｂ２とに結合されうる。なお、本実施形態では、ブリッジ部７がアーム部４ｂの境界部４ｆ（根元部分）の近くに設けられているが、これには限定されず、例えば、ブリッジ部７は、アーム部４ｂの先端部（Ｚ方向の反対方向の端部）に設けられてもよい。このように、本実施形態では、導電部材４Ｆにブリッジ部７が設けられているため、第一のアーム部４ｂ１と第二のアーム部４ｂ２とがＸ方向に沿って変形し、互いに近づくのが抑制されうる。
【００４６】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００４７】
１，１Ａ〜１Ｆ…電池、２…筐体、３…電極体、４，４Ａ〜４Ｆ…導電部材、４ａ…ベース部、４ｂ…アーム部、４ｂ１…第一のアーム部、４ｂ２…第二のアーム部、４ｃ…変形抑制部、４ｅ…角部（根元部分）、４ｆ…境界部（根元部分）、４ｓ…隙間、５，５Ａ…当接部、６，６Ａ〜６Ｃ…補強部、７…ブリッジ部、２０ａ〜２０ｄ…壁部（周壁部）、２３…正極端子（外部接続端子）、２４…負極端子（外部接続端子）、２８…収容部、３１…正極、３２…負極、Ｘ…電極体の厚さ方向。
【図１】
2018077962.tif 000003
【図２】
2018077962.tif 000004
【図３】
2018077962.tif 000005
【図４】
2018077962.tif 000006
【図５】
2018077962.tif 000007
【図６】
2018077962.tif 000008
【図７】
2018077962.tif 000009
【図８】
2018077962.tif 000010